(57)【特許請求の範囲】
【請求項１】
ユニットケース（２）をアッパケース（２Ａ）とロアケース（２Ｂ）とに分割して構成し、周側面に弾性材（２０）を貼設した方形のエバポレータ（３）を、これらアッパケース（２Ａ）とロアケース（２Ｂ）とのパーティングラインを跨いで両ケース（２Ａ），（２Ｂ）の各左右側壁との間で弾性材（２０）を圧縮変形させて横置きに弾性保持する構造であって、少なくとも前記アッパケース（２Ａ）の左右側壁の内面には、エバポレータ（３）の左右側面の弾性材（２０）に喰い込む横リブ（１９）を突設したことを特徴とする空気調和装置のエバポレータ取付構造。
【請求項２】
アッパケース（２Ａ）とロアケース（２Ｂ）とのパーティングラインを略水平に形成する一方、エバポレータ（３）を前記パーティングラインを跨いで前傾状態に保持し、かつ、アッパケース（２Ａ）の左右側壁の内面に突設される横リブ（１９）をエバポレータ（３）の配設角度に合わせて傾斜して形成したことを特徴とする請求項１記載の空気調和装置のエバポレータ取付構造。
【請求項３】
横リブ（１９）の前端部をアッパケース（２Ａ）の左右側壁の下縁に沿って形成したことを特徴とする請求項２記載の空気調和装置のエバポレータ取付構造。
【請求項４】
横リブ（１９）を上下方向に複数条設けたことを特徴とする請求項１〜３の何れかに記載の空気調和装置のエバポレータ取付構造。
【発明の詳細な説明】
【０００１】
【発明の属する技術分野】
本発明は自動車等の車両に搭載される空気調和装置のエバポレータ取付構造に関する。
【０００２】
【従来の技術】
自動車用空気調和装置の中には、車室内への搭載レイアウトの関係でエバポレータをユニットケースの下側部内に横置きに配置したものが知られている。
【０００３】
【発明が解決しようとする課題】
エバポレータは冷媒を流通させる複数個の偏平状の冷媒チューブを適宜の間隔をおいて一方向に積層状に配置して、各冷媒チューブ間には冷却フィンを接合配置して構成されている関係上、これら冷媒チューブの積層方向に寸法のバラツキが生じ易い傾向にある。
【０００４】
一方、このようなエバポレータをユニットケース内に横置きに配設する場合、エバポレータをユニットケースの左右の側壁で挾持するようにして取付けられるが、このエバポレータはエンジンルーム側の冷媒配管との兼ね合いで冷媒が前後方向に流通するように配設されるため、冷媒チューブの積層方向がユニットケースの左右側壁による挾持方向と一致するようになる。
【０００５】
このため、エバポレータの冷媒チューブ積層方向の寸法のバラツキによって、該エバポレータとユニットケースの左右側壁との挟着部分に緩みが生じてエバポレータのガタツキやユニットケースの左右側壁との間の気密不良を招来するおそれがある。
【０００６】
そこで、本発明はユニットケース内に横置きに配設されるエバポレータに寸法のバラツキがあっても、このバラツキを吸収してエバポレータをユニットケースの左右側壁間に緊密に挾持固定することができる空気調和装置のエバポレータ取付構造を提供するものである。
【０００７】
【課題を解決するための手段】
請求項１にあっては、ユニットケースをアッパケースとロアケースとに分割して構成し、周側面に弾性材を貼設した方形のエバポレータを、これらアッパケースとロアケースとのパーティングラインを跨いで両ケースの各左右側壁との間で弾性材を圧縮変形させて横置きに弾性保持する構造であって、少なくとも前記アッパケースの左右側壁の内面には、エバポレータの左右側面の弾性材に喰に込む横リブを突設したことを特徴としている。
【０００８】
請求項２にあっては、請求項１に記載のアッパケースとロアケースとのパーティングラインを略水平に形成する一方、エバポレータを前記パーティングラインを跨いで前傾状態に保持し、かつ、アッパケースの左右側壁の内面に突設される横リブをエバポレータの配設角度に合わせて傾斜して形成したことを特徴としている。
【０００９】
請求項３にあっては、請求項２に記載の横リブの前端部を、アッパケースの左右側壁の下縁に沿って形成したことを特徴としている。
【００１０】
請求項４にあっては、請求項１〜３に記載の横リブを上下方向に複数条設けたことを特徴としている。
【００１１】
【発明の効果】
請求項１によれば、エバポレータがユニットケースの左右側壁との間で該エバポレータ周側面の弾性材を圧縮変形させて弾性保持されることと併せて、ユニットケースのアッパケースの左右側壁の内面に突設した横リブが前記弾性材に喰い込んで、弾性材が横リブとエバポレータ側面との間で圧着されることによって、エバポレータの左右方向の寸法のバラツキを吸収して該エバポレータをユニットケースの左右側壁間に緊密に挾持固定することができる。
【００１２】
エバポレータはアッパケースとロアケースとのパーティングラインを跨いで横置きに弾性保持してあるから、整備時にエバポレータをユニットケースから取り外す場合、ロアケースをアッパケースから離脱するとアッパケースの下方に作業空間が確保されるため、エバポレータを容易に取り外すことができる。
【００１３】
また、このロアケースの離脱時にはアッパケースの左右側壁内面の横リブがエバポレータの左右側面の弾性材に食い込んで係止しているため、エバポレータが自重でずれ下がることがなく、従って、ロアケースおよびエバポレータの取り外し作業を容易に行うことができる。
【００１４】
請求項２によれば、請求項１の効果に加えて、アッパケースとロアケースとのパーティングラインを略水平に形成してあるため、ロアケースの取り外しの際には該ロアケースを車室後方へ略水平にスライドさせて取り外すことができ、狭隘な場所でのロアケースの取り外しをより一層容易に行うことができる。
【００１５】
また、エバポレータは前記パーティングラインを跨いで前傾状態に弾性保持してあるため、ロアケースを取り外すとエバポレータの前端部がアッパケース下方の作業空間に突出して露出するようになるから、エバポレータの取り外しをより一層容易に行うことができる。
【００１６】
しかも、このようにエバポレータの前傾配置に合わせて、アッパケースの左右側壁内面の横リブも前傾状態に形成してあるため、横リブの弾性材との係合長さを十分に確保できてエバポレータの自重によるずれ下がりを規制することができる。
【００１７】
請求項３によれば、請求項２の効果に加えて、横リブの前端部をアッパケースの左右側壁の下縁に沿って形成してあるので、該アッパケースの左右側壁の下縁の剛性を高められ、ロアケースの取り外しの際にアッパケースの左右側壁下縁の外側への撓み変形を抑えてエバポレータの自重によるずれ下がりを確実に規制することができる。
【００１８】
請求項４によれば、請求項１〜３の効果に加えて、横リブをアッパケースの左右側壁の内面に上下方向に複数条設けてあるため、これら左右側壁の剛性を高められて横リブと弾性材との食い込み係止を確実に行えて、エバポレータの挾持固定をより確実に行うことができる。
【００１９】
【発明の実施の形態】
以下、本発明の一実施形態を図面と共に詳述する。
【００２０】
図５は熱交換器ユニットを示し、熱交換器ユニット１はユニットケース２内にエバポレータ３と、その上側にヒータコア４とをそれぞれ横置きにして上下方向に多段に配置してある。
【００２１】
エバポレータ３とヒータコア４との配設部分は上下に隔成してあって、図外のブロワユニットからユニットケース２の一側壁に設けたブロワ接続口６に送風されてくる空気を、図１の矢印で示すようにエバポレータ３の上側から下側に向かって流通させて冷却し、この冷却された空気をユニットケース２の後側壁に沿って形成した空気通路５に上向きに流通させるようにしてある。
【００２２】
この空気通路５を上向きに流通する空気はヒータコア４の下側にバイパスして該ヒータコア４の下側から上側に向けて流通し得るようになっていて、エバポレータ３および又はヒータコア４によって温度調節された空気は、ユニットケース２の上壁に設けたベント吹出口７又はデフロスタ吹出口８、あるいはユニットケース２の両側壁の上部に設けたフット吹出口９から図外の各種ダクトへ供給されるようになっている。
【００２３】
前記ヒータコア４への空気のバイパス流通、および各種吹出口７，８，９からの空気の吹出しは、図外の各種ドアの配風制御によって行われる。
【００２４】
エバポレータ３は図４に示すように方形に形成されていて、冷媒を流通させる複数個の偏平状の冷媒チューブ１１を適宜の間隔をおいて一方向に積層状に配置して、各冷媒チューブ１１間に図外の冷却フィンを接合配置してあると共に、各冷媒チューブ１１と直交方向となる一側部に冷媒の給排を行う冷媒タンク１２と膨脹弁１３とを付設した公知のラミネート式片タンクタイプのものが用いられている。
【００２５】
ユニットケース２は図１〜３にも示すように、略水平なパーティングラインを境にしてアッパケース２Ａとロアケース２Ｂとに分割して構成してあり、エバポレータ３はこれらアッパケース２Ａとロアケース２Ｂとのパーティングラインを跨ぐように若干前傾した状態でユニットケース２内に横置きに配置してある。
【００２６】
このようにエバポレータ３をユニットケース２内に前傾状態に定置するために、アッパケース２Ａおよびロアケース２Ｂの左右両側壁の内面に、エバポレータ３の左右両側面の上下縁部に係合する前方斜め下方に傾斜した段部１４，１５を形成してあると共に、アッパケース２Ａには段部１４の前後端部に連なってエバポレータ３の前後側面の上縁に係合する段部１６，１７を、およびロアケース２Ｂには段部１５の前端部に連なってエバポレータ３の前側面の下縁に係合する段部１８を形成してある。
【００２７】
エバポレータ３は冷媒タンク１２を付設した側面を前方に向けて、アッパケース２Ａ側の段部１４，１６，１７と、ロアケース２Ｂ側の段部１５，１８とで上下方向および前後方向に位置決めして定置して、膨脹弁１３がユニットケース２の前側壁に設けた開口１０に臨むように横置きに配置してある。
【００２８】
このエバポレータ３の冷媒タンク１２を付設した前側面を除く左右両側面と後側面とに亘る周側面にはシート状の弾性材２０を貼設してあり、この弾性材２１をエバポレータ３の左右側面とアッパケース２Ａおよびロアケース２Ｂの各左右側壁との間で圧縮変形させて弾性的に挾持固定すると共に、エバポレータ３の上下周縁部に張り出した弾性材２０の縁部をこれらアッパケース２Ａ，ロアケース２Ｂの前記各段部１４，１５，１７に弾接させて、該弾性材２０を介してエバポレータ３をユニットケース２の周側壁に防振支持してある。
【００２９】
ここで、前記アッパケース２Ａの左右側壁の内面には、前記エバポレータ３の左右側面の弾性材２０に喰い込む例えば３角形断面の横リブ１９を突設してある。
【００３０】
横リブ１９は例えば上下方向に適宜の間隔をおいて２条突設してあり、これら横リブ１９は何れもエバポレータ３の前傾配設角度に合わせて前傾して傾斜成形してあり、下側の横リブ１９の前端部はアッパケース２Ａの左右側壁の下縁に沿って形成してある。
【００３１】
この実施形態ではアッパケース２Ａの左右側壁の後側部内面に、エバポレータ３を後方へスライド移動した際にエバポレータ３の後側部を保持する前傾した上下のガイドレール２１，２２を設けてある一方、ロアケース２Ｂの左右側壁の前側部内面に、上縁から段部１５に向かう縦リブ２３を前後方向に複数条設けて、エバポレータ３およびロアケース２Ｂの再組付け時には予め上下ガイドレール２１，２２に保持させたエバポレータ３にロアケース２Ｂを嵌合して、該ロアケース２Ｂを前方へ略水平に前方へスライド移動することにより、縦リブ２３がエバポレータ３の左右側面の弾性材２０に喰い込み係合して、該エバポレータ３も一緒に前方へスライド移動させて再組付けを容易に行えるようにしてある。
【００３２】
エバポレータ３の前側面の上縁にはアッパケース２Ａの前側の段部１６の下面に密接するシール部材２４を貼設して、エバポレータ３の上面側からくる空気を確実に熱交換用フィン部分に送るようにシールしている。
【００３３】
また、冷媒タンク１１の下部両側には、ロアケース２Ｂの前側部の段部１８の立上がり面１８ａに弾接するクッション材２５を貼設してある。
【００３４】
ロアケース２Ｂの底部は、エバポレータ３の表面に発生して滴下する凝縮水を集合させてケース外にドレーンし易いように傾斜成形してある。
【００３５】
以上の実施形態の構造によれば、エバポレータ３はその冷媒チューブ１１の積層方向が左右方向となっていることから、特に左右方向の寸法にバラツキが生じ易い傾向にあるが、このエバポレータ３はユニットケース２の左右側壁、つまり、アッパケース２Ａおよびロアケース２Ｂの各左右側壁との間で該エバポレータ３の左右側面の弾性材２０を圧縮変形させて弾性保持してあり、しかも、アッパケース２Ａの左右側壁の内面に突設した横リブ１９が前記弾性材２０に喰い込んで、弾性材２０が横リブ１９とエバポレータ３の側面との間で圧着されることによって、該エバポレータ３の左右方向の寸法のバラツキを吸収してエバポレータ３をユニットケース２の左右側壁間に緊密に挾持固定することができる。
【００３６】
従って、エバポレータ３がユニットケース２内で左右方向にガタツキを生じたり、エバポレータ３とユニットケース２の左右側壁との間の気密不良を生じることもなく、品質感および信頼性を一段と高めることができる。
【００３７】
特に、本実施形態ではロアケース２Ｂの左右側壁の内面に突設した縦リブ２３もこのエバポレータ３の左右側面の弾性材２０に喰い込むようになるから、エバポレータ３の緊密な挾持固定を有利に行うことができる。
【００３８】
また、エバポレータ３はアッパケース２Ａとロアケース２Ｂとのパーティングラインを跨いで横置きに弾性保持してあるから、整備時にエバポレータ３をユニットケース２から取り外す場合、ロアケース２Ｂをアッパケース２Ａから離脱するとアッパケース２Ａの下方に作業空間が確保されるため、エバポレータ３を容易に取り外すことができる。
【００３９】
このロアケース２Ｂの離脱時にはアッパケース２Ａの左右側壁内面の横リブ１９がエバポレータ３の左右側面の弾性材２０に喰い込んで係止しているため、エバポレータ３が自重でずれ下がることがなく、従って、ロアケース２Ｂおよびエバポレータ３の取り外し作業を容易に行うことができる。
【００４０】
とりわけ、前記アッパケース２Ａとロアケース２Ｂとのパーティングラインを略水平に形成してあって、エバポレータ３はこのパーティングラインを跨いで前傾状態に横置きに配置してあるため、ロアケース２Ｂは車室後方へ略水平にスライドさせて取り外すことができ、狭隘な場所でのロアケース２Ｂの取り外し作業をより一層容易に行えると共に、該ロアケース２Ｂを取り外すとエバポレータ３の前端部がアッパケース２Ａの下方の作業空間に突出して露出するようになるから、該エバポレータ３の取り外しも容易に行えて整備性をより一層向上することができる。
【００４１】
また、アッパケース２Ａの左右側壁内面の横リブ１９はエバポレータ３の前傾配置に合わせて前傾させて上下方向に複数条設けてあるから、該横リブ１９の弾性材２０との係合長さを十分に確保できて、ロアケース２Ｂの取り外し時におけるエバポレータ３の自重によるずれ下がりを規制することができる。
【００４２】
しかも、このように横リブ１９を上下方向に複数条設けてあるため、アッパケース２Ａの左右側壁の剛性を高められると共に、前端がアッパケース２Ａの左右側壁下縁に接する横リブ１９は、該前端部をこれら左右側壁の下縁に沿って形成してあるので該左右側壁の下縁の剛性を高められて外側への撓み変形を抑えることができ、この結果、横リブ１９と弾性材２０との喰い込みをしっかりと確保してエバポレータ３の挾持固定を確実に行えると共に、ロアケース２Ｂの取り外し時におけるエバポレータ３の自重下がりを確実に規制することができる。
【図面の簡単な説明】
【図１】本発明の一実施形態の側面から見た断面図。
【図２】本発明の一実施形態の正面から見た断面図。
【図３】本発明の一実施形態のユニットケースの分解斜視図。
【図４】本発明の一実施形態のエバポレータの斜視図。
【図５】本発明の一実施形態の外観斜視図。
【符号の説明】
２  ユニットケース
２Ａ  アッパケース
２Ｂ  ロアケース
３  エバポレータ
１９  横リブ
２０  弾性材
【図１】
0003792368.tif 000002
【図２】
0003792368.tif 000003
【図３】
0003792368.tif 000004
【図４】
0003792368.tif 000005
【図５】
0003792368.tif 000006